(57)【要約】【課題】開閉可能に設けられた第１加熱手段と第２加熱手段とを簡易な構成で容易に閉じた状態で固定できる記録媒体加熱装置を提供すること。【解決手段】搬送される記録媒体を一方の面側から加熱する第１加熱手段と、前記記録媒体を他方の面側から加熱する第２加熱手段と、前記第１加熱手段と前記第２加熱手段とを開閉可能に保持する開閉手段と、回転可能に設けられ、前記第１加熱手段と前記第２加熱手段とが閉じられた状態で前記第１加熱手段及び前記第２加熱手段に当接する位置決めシャフトと、前記位置決めシャフトに設けられ、前記第１加熱手段と前記第２加熱手段とが閉じられた状態で、前記位置決めシャフトと共に回転して前記第１加熱手段及び前記第２加熱手段にそれぞれ設けられている固定軸と嵌合する固定部材とを有する記録媒体加熱装置。【選択図】図８
2015030124.tif 000002
【特許請求の範囲】
【請求項１】
搬送される記録媒体を一方の面側から加熱する第１加熱手段と、
前記記録媒体を他方の面側から加熱する第２加熱手段と、
前記第１加熱手段と前記第２加熱手段とを開閉可能に保持する開閉手段と、
回転可能に設けられ、前記第１加熱手段と前記第２加熱手段とが閉じられた状態で前記第１加熱手段及び前記第２加熱手段に当接する位置決めシャフトと、
前記位置決めシャフトに設けられ、前記第１加熱手段と前記第２加熱手段とが閉じられた状態で、前記位置決めシャフトと共に回転して前記第１加熱手段及び前記第２加熱手段にそれぞれ設けられている固定軸と嵌合する固定部材とを有する
ことを特徴とする記録媒体加熱装置。
【請求項２】
前記固定部材は、一端に前記第１加熱手段に設けられている固定軸と嵌合する第１溝部と、他端に前記第１溝部とは反対側に開口が形成されて前記第２加熱手段に設けられている固定軸と嵌合する第２溝部とを有する
ことを特徴とする請求項１に記載の記録媒体加熱装置。
【請求項３】
前記固定部材は、前記第１溝部と前記位置決めシャフトが挿入される挿入孔との間に、前記第１溝部と同じ側に開口が形成された第３溝部と、前記第１溝部と前記第２溝部との間に形成される突起部とを有し、
回転可能に設けられて前記第１加熱手段に向かって付勢され、前記第１加熱手段と前記第２加熱手段とが閉じられた状態では、前記第１加熱手段に設けられている固定軸に押圧されて回転して前記固定部材が回転した時に前記第３溝部に嵌り、開けられた状態では、前記固定部材が回転した時に前記突起部に突き当たる回転防止部材を有する
ことを特徴とする請求項２に記載の記録媒体加熱装置。
【請求項４】
前記固定部材は、前記第１溝部の開口の大きさを調整する第１調整部材及び前記第２溝部の開口の大きさを調整する第２調整部材のうち少なくとも一方を有する
ことを特徴とする請求項２又は３に記載の記録媒体加熱装置。
【請求項５】
前記位置決めシャフトは、軸方向が前記記録媒体の搬送方向に略直交し、前記記録媒体の搬送方向において異なる位置に複数設けられ、
前記固定部材は、前記複数の位置決めシャフトそれぞれの両端部に設けられる
ことを特徴とする請求項１から４の何れか一項に記載の記録媒体加熱装置。
【請求項６】
請求項１から５の何れか一項に記載の記録媒体加熱装置と、
前記記録媒体加熱装置の前段に設けられ、前記記録媒体に処理液を塗布する塗布装置と
を有することを特徴とする記録媒体前処理装置。
【請求項７】
請求項６に記載の記録媒体前処理装置と、
前記記録媒体前処理装置の後段に設けられ、前記記録媒体に画像を印刷する印刷装置と
を有することを特徴とする印刷システム。
【発明の詳細な説明】
【技術分野】
【０００１】
本発明は、記録媒体加熱装置、記録媒体前処理装置及び印刷システムに関する。
【背景技術】
【０００２】
例えばインク等で画像が印刷された記録媒体を、千鳥配列された複数の加熱ローラに掛け渡して搬送し、記録媒体を加熱して乾燥させる乾燥装置を有する輪転機が知られている（例えば、特許文献１参照）。
【発明の概要】
【発明が解決しようとする課題】
【０００３】
しかしながら、特許文献１における乾燥装置では、千鳥配列された複数の加熱ローラに記録媒体を掛け渡す必要があるため、例えば記録媒体の装填、ジャム時のメンテナンス等の作業が煩雑になる可能性がある。そこで、複数の加熱ローラのうち、記録媒体の第１面を加熱する加熱ローラを有する第１加熱フレームと、記録媒体の第２面を加熱する加熱ローラを有する第２加熱フレームとを開閉可能に設けることで、メンテナンス等の作業を容易化することが考えられる。
【０００４】
ここで、記録媒体の加熱時に加熱ローラが変位すると、記録媒体の全体を均一に加熱することが困難になる。したがって、第１加熱フレームと第２加熱フレームとを開閉可能に構成する場合には、記録媒体の加熱時において加熱ローラが変位しない様に、第１加熱フレームと第２加熱フレームとを閉じた状態で固定する固定機構が必要になる。また、固定機構としては、作業性を維持するために固定動作を容易に行うことができる簡易な構成であることが望ましい。
【０００５】
本発明は上記に鑑みてなされたものであって、開閉可能に設けられた第１加熱手段と第２加熱手段とを簡易な構成で容易に閉じた状態で固定できる記録媒体加熱装置を提供することを目的とする。
【課題を解決するための手段】
【０００６】
本発明の一態様係る記録媒体加熱装置によれば、搬送される記録媒体を一方の面側から加熱する第１加熱手段と、前記記録媒体を他方の面側から加熱する第２加熱手段と、前記第１加熱手段と前記第２加熱手段とを開閉可能に保持する開閉手段と、回転可能に設けられ、前記第１加熱手段と前記第２加熱手段とが閉じられた状態で前記第１加熱手段及び前記第２加熱手段に当接する位置決めシャフトと、前記位置決めシャフトに設けられ、前記第１加熱手段と前記第２加熱手段とが閉じられた状態で、前記位置決めシャフトと共に回転して前記第１加熱手段及び前記第２加熱手段にそれぞれ設けられている固定軸と嵌合する固定部材とを有する。
【発明の効果】
【０００７】
本発明の実施形態によれば、開閉可能に設けられた第１加熱手段と第２加熱手段とを簡易な構成で容易に閉じた状態で固定できる記録媒体加熱装置を提供できる。
【図面の簡単な説明】
【０００８】
【図１】実施形態に係る印刷システムの概略構成を例示する図である。
【図２】実施形態に係る前処理液塗布装置の概略構成を例示する図である。
【図３】実施形態に係る加熱ユニットを例示する図である。
【図４】本体フレームが外された状態の加熱ユニットを例示する図である。
【図５】第１加熱フレーム及び第２加熱フレームが開けられる様子を例示する図である。
【図６】第１加熱フレーム及び第２加熱フレームが開いた状態を例示する図である。
【図７】実施形態における加熱フレーム固定機構の概略構成を例示する図である。
【図８】固定部材により加熱フレームが固定された状態を例示する図である。
【図９】加熱フレームが固定解除された状態を例示する図である。
【図１０】回転防止機構の構成を例示する図である。
【図１１】固定時における回転防止部材及び固定部材の構成を例示する図である。
【図１２】固定部材及び調整部材の構成を例示する図である。
【発明を実施するための形態】
【０００９】
以下、図面を参照して発明を実施するための形態について説明する。各図面において、同一構成部分には同一符号を付し、重複した説明を省略する場合がある。
【００１０】
図１は、実施形態に係る印刷システム１００の概略構成を例示する図である。
【００１１】
図１に示す様に、印刷システム１００は、給紙装置１１０、前処理液塗布装置１２０、第１インクジェットプリンタ１３０、反転装置１４０、第２インクジェットプリンタ１５０、後乾燥装置１６０、巻取装置１７０を有する。
【００１２】
給紙装置１１０は、ロール状に巻き回された長尺の連続紙等の記録媒体１０を、後段に設けられている前処理液塗布装置１２０に供給する。
【００１３】
前処理液塗布装置１２０は、記録媒体前処理装置の一例であり、後段の第１インクジェットプリンタ１３０等で記録媒体１０に吐出されるインクジェットインクの滲みや裏写りを抑えるために、記録媒体１０の表面に前処理液を塗布する。また、前処理液塗布装置１２０は、記録媒体１０に塗布された前処理液を加熱して乾燥させた後、後段の第１インクジェットプリンタ１３０に記録媒体１０を排出する。
【００１４】
第１インクジェットプリンタ１３０は、前処理液塗布装置１２０において前処理液が塗布された記録媒体１０の第１面（表面）に、画像データに基づいてインク滴を吐出して所望の画像を形成する。
【００１５】
反転装置１４０は、記録媒体１０の表裏を反転させ、反転させた記録媒体１０を後段の第２インクジェットプリンタ１５０に搬送する。また、反転装置１４０は、乾燥手段として不図示のドライヤを有し、第１インクジェットプリンタ１３０により形成された記録媒体１０の表側の画像を乾燥させる。
【００１６】
第２インクジェットプリンタ１５０は、反転装置１４０で表裏が反転された記録媒体１０の第２面（反転前の裏面）に、画像データに基づいてインク滴を吐出して所望の画像を形成する。
【００１７】
後乾燥装置１６０は、乾燥手段としてドライヤを有し、記録媒体１０の両面に形成された画像をドライヤからの熱風で乾燥させる。
【００１８】
巻取装置１７０は、片面又は両面に画像が形成され、後乾燥装置１６０にて画像形成面のインクが乾燥された記録媒体１０を巻取って回収する。
【００１９】
図２は、実施形態に係る前処理液塗布装置１２０の概略構成を例示する図である。
【００２０】
図２に示す様に、前処理液塗布装置１２０は、エアループユニット２０、前処理液塗布ユニット３０、前処理液供給ユニット４０、加熱ユニット５０、ダンサーユニット８０を有する。
【００２１】
エアループユニット２０は、回転自在に支持されたガイドローラ２１、記録媒体１０を狭持して搬送するフィードイン（ＦＩ）ローラ２２、ＦＩニップローラ２３を有する。
【００２２】
エアループユニット２０では、ガイドローラ２１、回転駆動するＦＩローラ２２、従動回転するＦＩニップローラ２３が給紙装置１１０から供給される記録媒体１０を搬送し、エアループユニット２０内に記録媒体１０を引き込む。このとき、不図示の光学センサにより、記録媒体１０の弛み量が一定となるエアループＡＬが形成される様に、ＦＩローラ２２の回転が制御される。エアループＡＬを通過した記録媒体１０は、不図示のテンションシャフトにより搬送安定化のための張力が付加され、前処理液塗布ユニット３０に搬送される。
【００２３】
前処理液塗布ユニット３０は、回転駆動するインフィードローラ３１、インフィードローラ３１との間で記録媒体１０を挟持搬送するフィードニップローラ３２、裏面塗布ユニット３３、表面塗布ユニット３４、回転駆動するアウトフィードローラ３５、アウトフィードローラ３５との間で記録媒体１０を挟持搬送するフィードニップローラ３６を有する。
【００２４】
裏面塗布ユニット３３は、スクイーズローラ３７、塗布ローラ３８、加圧ローラ３９を有する。裏面塗布ユニット３３に搬送される記録媒体１０は、スクイーズローラ３７により前処理液が供給される塗布ローラ３８と加圧ローラ３９との間で挟持搬送される際に、塗布ローラ３８により第２面（裏面）側に前処理液が塗布される。裏面塗布ユニット３３を通過した記録媒体１０は、表面塗布ユニット３４に搬送される。
【００２５】
表面塗布ユニット３４は、スクイーズローラ４７、塗布ローラ４８、加圧ローラ４９を有し、記録媒体１０の第１面（表面）側に前処理液を塗布する。表面塗布ユニット３４を通過した記録媒体１０は、アウトフィードローラ３５とフィードニップローラ３６により、加熱ユニット５０に搬送される。
【００２６】
なお、裏面塗布ユニット３３及び表面塗布ユニット３４は、選択的に作動する様に制御され、記録媒体１０は、第１面（表面）及び第２面（裏面）のいずれか一方又は両面に前処理液が塗布される。
【００２７】
前処理液供給ユニット４０は、前処理液を貯留し、裏面塗布ユニット３３及び表面塗布ユニット３４に前処理液を適宜供給する。
【００２８】
加熱ユニット５０は、記録媒体加熱装置の一例であり、記録媒体１０を加熱し、記録媒体に塗布された前処理液を乾燥させる。加熱ユニット５０は、記録媒体１０の搬送方向の上流から、第１段裏面加熱ローラ５２１、第１段表面加熱ローラ５１１、第２段裏面加熱ローラ５２２、第２段表面加熱ローラ５１２、第３段裏面加熱ローラ５２３、第３段表面加熱ローラ５１３を有する。
【００２９】
各加熱ローラは、互いに離間して千鳥配列されている。言い換えると、裏面加熱ローラ５２１，５２２，５２３それぞれの回転中心を結ぶ線と、表面加熱ローラ５１１，５１２，５１３それぞれの回転中心を結ぶ線とが、平行且つ離間する様に配置されている。また、表面加熱ローラと裏面加熱ローラとが記録媒体の搬送方向において交互に配列されている。
【００３０】
各加熱ローラは、例えばヒータランプ等のヒータ７１−７６をそれぞれ内蔵する。また、各加熱ローラは、例えばヒートパイプを内蔵してもよい。ヒートパイプにより、各加熱ローラの長手方向に熱が効率良く伝達されてローラ表面の温度が均一化され、記録媒体１０への効率的な熱供給が可能になる。
【００３１】
各加熱ローラの表面は、フッ素樹脂等、非粘着性の膜でコーティングされている。この様なコーティングによって、加熱ローラ表面へのインク等の付着が抑制され、加熱ローラ表面の付着物による記録媒体１０への熱伝達効率の低下が抑制される。
【００３２】
なお、加熱ローラの数は、上述のように表面加熱用と裏面加熱用の３段の計６個に限られるものではなく、例えば、２段の計４個、４段の計８個、５段の計１０個或いはそれ以上であっても良い。
【００３３】
記録媒体１０は、各加熱ローラに順に千鳥掛け状に掛け渡された状態で搬送される。各加熱ローラは、搬送される記録媒体１０を加熱し、記録媒体１０に塗布されている前処理液を乾燥させる。
【００３４】
表面に塗布された前処理液が乾燥した記録媒体１０は、回転駆動するフィードローラ５９及びフィードニップローラ６０に挟持され、ダンサーユニット８０に搬送される。
【００３５】
ダンサーユニット８０は、２つのガイドローラ８１、８２、可動フレーム８４、可動フレーム８４の位置を検出する不図示の位置検出手段、可動フレーム８４に回転自在に取り付けられた２つのダンサーローラ８５，８６を有する。可動フレーム８４は、下部に錘８３が設けられ、ダンサーローラ８５，８６と共に矢印Ａ方向に移動可能に設けられている。記録媒体１０は、２つのガイドローラ８１、８２及び２つのダンサーローラ８５，８６にＷ字状に掛け渡される。
【００３６】
ダンサーユニット８０は、不図示の位置検出手段の出力に基づいて、フィードローラ５９の搬送量を制御して、可動フレーム８４の上下方向の位置を調整する。可動フレーム８４の位置が調整されることで、前処理液塗布装置１２０と後段の第１インクジェットプリンタ１３０との間の記録媒体１０のバッファが確保される。
【００３７】
加熱ユニット５０によって加熱された記録媒体１０は、ダンサーユニット８０にて冷却された後に、後段の第１インクジェットプリンタ１３０に搬送される。
【００３８】
次に、加熱ユニット５０について図面に基づいて説明する。
【００３９】
図３は、実施形態に係る加熱ユニット５０を例示する図であり、図４は、本体フレーム５０２が外された加熱ユニット５０を例示する図である。なお、以下に示す図面において、Ｘ方向は加熱ユニット５０の幅方向、Ｙ方向は加熱ユニット５０の奥行き方向、Ｚ方向は加熱ユニット５０の高さ方向を示す。
【００４０】
図３に示す様に、加熱ユニット５０は、開閉手段５０１、第１加熱フレーム５１０、第２加熱フレーム５２０を有する。なお、以下において、第１加熱フレーム５１０側を上、第２加熱フレーム５２０側を下として説明する。
【００４１】
第１加熱フレーム５１０は、第１加熱手段の一例であり、第１段表面加熱ローラ５１１、第２段表面加熱ローラ５１２、第３段表面加熱ローラ５１３を有し、記録媒体１０を第１面（表面）から加熱する。第２加熱フレーム５２０は、第２加熱手段の一例であり、第１段裏面加熱ローラ５２１、第２段裏面加熱ローラ５２２、第３段裏面加熱ローラ５２３を有し、記録媒体１０を第２面（裏面）から加熱する。第１加熱フレーム５１０及び第２加熱フレーム５２０は、それぞれ開閉手段５０１によりＺ方向において上下に移動可能に設けられている。
【００４２】
図３及び図４に示す様に、開閉手段５０１は、本体フレーム５０２、ハンドル５０３，５０４、タイミングベルト５７１，５７２，５７３，５７４を有し、第１加熱フレーム５１０及び第２加熱フレーム５２０をそれぞれ上下に移動して開閉させる。
【００４３】
図４に示す様に、タイミングベルト５７１は、上側のプーリ５３１と下側のプーリ５４１に掛け渡されて回転可能に設けられている。同様に、タイミングベルト５７２はプーリ５３２，５４２、タイミングベルト５７３はプーリ５３３，５４３、タイミングベルト５７４はプーリ５３４と下側の不図示のプーリに掛け渡されてそれぞれ回転可能に設けられている。
【００４４】
タイミングベルト５７１の上側のプーリ５３１及びタイミングベルト５７２の上側のプーリ５３２は、図４には不図示の本体フレーム５０２に回転可能に設けられている第１同期シャフト５７５に固定されている。第１同期シャフト５７５にプーリ５３１，５３２が固定されていることで、タイミングベルト５７１及びタイミングベルト５７２は同期して回転し、同じタイミングで同じ量だけ回転する。
【００４５】
また、タイミングベルト５７３の上側のプーリ５３３及びタイミングベルト５７４の上側のプーリ５３４は、図４には不図示の本体フレーム５０２に回転可能に設けられている第２同期シャフト５７６に固定されている。第２同期シャフト５７６にプーリ５３３，５３４が固定されていることで、タイミングベルト５７３及びタイミングベルト５７４は同期して回転し、同じタイミングで同じ量だけ回転動作する。
【００４６】
第１同期シャフト５７５及び第２同期シャフト５７６は、それぞれ同じ側の端部にギア５７７，５７８が固定して設けられている。ギア５７７，５７８には、同期タイミングベルト５７９が掛け渡され、同期タイミングベルト５７９により第１同期シャフト５７５及び第２同期シャフト５７６は同期して回転する。
【００４７】
この様に、第１同期シャフト５７５、第２同期シャフト５７６及び同期タイミングベルト５７９により、タイミングベルト５７１，５７２，５７３，５７４は全て同期して回転する様に設けられている。したがって、タイミングベルト５７１，５７２，５７３，５７４の何れか１つが回転すると、他の３つも同様に回転する。
【００４８】
ここで、タイミングベルト５７１，５７２，５７３，５７４は、それぞれ２つのプーリに掛け渡されており、Ｚ方向に延びる２つの張架部がＸ方向に対向する様に形成されている。この様な構成において、タイミングベルト５７１，５７２，５７３，５７４の２つの張架部のうち一方側の第１張架部には、第１加熱フレーム５１０及びハンドル５０３，５０４が、固定部５５１，５５２，５５３等により固定されている。また、タイミングベルト５７１，５７２，５７３，５７４の２つの張架部のうち他方側の第２張架部には、第２加熱フレーム５２０が固定部５６１，５６２，５６３等により固定されている。
【００４９】
次に、加熱ユニット５０における第１加熱フレーム５１０及び第２加熱フレーム５２０の開閉動作について説明する。
【００５０】
図５は、加熱ユニット５０の正面からの概略図であり、図５（ａ）は第１加熱フレーム５１０及び第２加熱フレーム５２０の閉状態、図５（ｂ）は第１加熱フレーム５１０及び第２加熱フレーム５２０の開状態を例示している。
【００５１】
第１加熱フレーム５１０は、図５に示す様に、タイミングベルト５７２の第１張架部５７２ａ及びタイミングベルト５７３の第１張架部５７３ａに固定されている。同様に、第１加熱フレーム５１０は、図５には不図示のタイミングベルト５７１及びタイミングベルト５７４の第１張架部に固定されている。
【００５２】
また、第２加熱フレーム５２０は、タイミングベルト５７２の第１張架部５７２ａに対向する第２張架部５７２ｂ及びタイミングベルト５７３の第１張架部５７３ａに対向する第２張架部５７３ｂに固定されている。同様に、第２加熱フレーム５２０は、図５には不図示のタイミングベルト５７１及びタイミングベルト５７４の第１張架部に対向する第２張架部に固定されている。
【００５３】
この様な構成において、第１加熱フレーム５１０及び第２加熱フレーム５２０は、一方の加熱フレームの上下への移動に同期して他方の加熱フレームも上下に移動することで開閉する。
【００５４】
第１加熱フレーム５１０及び第２加熱フレーム５２０は、図５（ａ）に示す閉状態から、例えば第２加熱フレーム５２０が下方に押し下げられると、図５（ｂ）に示す開状態になる。第２加熱フレーム５２０が下方に押し下げられると、図５（ｂ）に示す様に、タイミングベルト５７２，５７３が、同期タイミングベルト５７９により同期された状態で図５（ｂ）に示す矢印方向に回転する。この様にタイミングベルト５７２，５７３が回転すると、第１張架部５７２ａ，５７３ａに固定されている第１加熱フレーム５１０が上方に移動して開状態になる。
【００５５】
開状態から第２加熱フレーム５２０が上方に持ち上げられると、タイミングベルト５７２，５７３が図５（ｂ）に示す矢印とは逆方向に回転し、第１加熱フレーム５１０が下方に移動して図５（ａ）に示す閉状態になる。
【００５６】
この様に、加熱ユニット５０では、第１加熱フレーム５１０及び第２加熱フレーム５２０の一方の上下移動に伴って、他方が反対方向に上下に移動することで開閉する。したがって、例えば記録媒体１０の装填時、記録媒体１０のジャム時等には、図６に示す様に、第１加熱フレーム５１０及び第２加熱フレーム５２０を開けて記録媒体１０の装填やメンテナンス等を容易に行うことが可能になっている。
【００５７】
開状態での記録媒体１０の装填、メンテナンス後には、第１加熱フレーム５１０及び第２加熱フレーム５２０を閉じれば、記録媒体１０が表面加熱ローラ５１１，５１２，５１３及び裏面加熱ローラ５２１，５２２，５２３に掛け渡されて動作可能な状態になる。
【００５８】
次に、第１加熱フレーム５１０と第２加熱フレーム５２０とを閉じた状態で固定する加熱フレーム固定機構について説明する。
【００５９】
図７は、実施形態における加熱フレーム固定機構の概略構成を例示する図であり、加熱ユニット５０の第１加熱フレーム５１０及び第２加熱フレーム５２０を除いた構成を示している。
【００６０】
図７に示す様に、本体フレーム５０２は、軸方向が記録媒体１０の搬送方向に略直交して回転可能に設けられ、第１加熱フレーム５１０及び第２加熱フレーム５２０が閉じた状態で当接することで位置決めされる位置決めシャフト５８０，５８１を有する。記録媒体１０の搬送方向において、位置決めシャフト５８０は上流側、位置決めシャフト５８１は下流側に設けられている。
【００６１】
位置決めシャフト５８０の一端にはハンドル５０４が固定して設けられており、ハンドル５０４が操作されることで回転する。また、位置決めシャフト５８１の一端にはハンドル５０３が固定して設けられており、ハンドル５０３が操作されることで回転する。
【００６２】
位置決めシャフト５８０，５８１は、第１加熱フレーム５１０及び第２加熱フレーム５２０を閉じた状態で固定する固定部材が両端部に固定して設けられている。位置決めシャフト５８０には、ハンドル５０４側の端部に固定部材５８３、ハンドル５０４とは反対側の端部に固定部材５８４が設けられている。また、位置決めシャフト５８１には、ハンドル５０３側の端部に固定部材５８２、ハンドル５０３とは反対側の端部に固定部材５８５が設けられている。
【００６３】
固定部材５８２，５８３，５８４，５８５は、それぞれ位置決めシャフト５８０，５８１に固定して設けられており、ハンドル５０３，５０４の操作に伴って回転する位置決めシャフト５８０，５８１と共に回転する。
【００６４】
図８は、固定部材５８２により第１加熱フレーム５１０と第２加熱フレーム５２０とが固定された状態を例示する図である。
【００６５】
第１加熱フレーム５１０は、位置決めシャフト５８１に対向する位置に位置決め部材５１５を有する。また、第２加熱フレーム５２０は、位置決めシャフト５８１に対向する位置に位置決め部材５２５を有する。第１加熱フレーム５１０及び第２加熱フレーム５２０は、閉じた状態で位置決め部材５１５，５２５が位置決めシャフト５８１に当接した状態で固定されることで位置決めされる。
【００６６】
また、第１加熱フレーム５１０は、側面から位置決めシャフト５８１と平行に突出し、位置決めシャフト５８１の上方に固定して設けられた固定軸５１６を有する。第２加熱フレーム５２０は、側面から位置決めシャフト５８１と平行に突出し、位置決めシャフト５８１の下方に固定して設けられた固定軸５２６を有する。
【００６７】
固定部材５８２は、挿入孔５８２ａに挿入される位置決めシャフト５８１に固定され、図８には不図示のハンドル５０３が操作されて回転する位置決めシャフト５８１と共に図中矢印方向に回転する。第１加熱フレーム５１０及び第２加熱フレーム５２０は、閉じた状態で固定部材５８２が回転して固定軸５１６，５２６の両方と嵌合することで、位置決めされた状態で固定される。
【００６８】
固定部材５８２は、一端側に第１加熱フレーム５１０の固定軸５１６と嵌合する第１溝部５８２ｂ、他端側に第２加熱フレーム５２０の固定軸５２６と嵌合する第２溝部５８２ｃを有する。固定部材５８２は、第１加熱フレーム５１０及び第２加熱フレーム５２０が閉じて位置決めされた状態で、位置決めシャフト５８１と共に回転し、第１溝部５８２ｂが固定軸５１６に、第２溝部５８２ｃが固定軸５２６にそれぞれ嵌合する。
【００６９】
第１加熱フレーム５１０及び第２加熱フレーム５２０は、固定部材５８２が第１加熱フレーム５１０の固定軸５１６及び第２加熱フレーム５２０の固定軸５２６の両方と嵌合することで、閉じて位置決めされた状態で固定される。
【００７０】
また、図９に示す様に、ハンドル５０３が矢印方向に回されると、固定部材５８２が位置決めシャフト５８１と共に回転して固定軸５１６，５２６から外れ、第１加熱フレーム５１０及び第２加熱フレーム５２０の固定状態が解除される。
【００７１】
固定部材５８２が第１加熱フレーム５１０及び第２加熱フレーム５２０を固定する構成について説明したが、図７に示す様に、固定部材５８３，５８４，５８５も同様の構成で第１加熱フレーム５１０及び第２加熱フレーム５２０を固定する。
【００７２】
第１加熱フレーム５１０及び第２加熱フレーム５２０は、記録媒体１０の幅方向において一端側の固定部材５８２，５８３及び他端側の固定部材５８４，５８５により両端で固定される。また、第１加熱フレーム５１０及び第２加熱フレーム５２０は、記録媒体１０の搬送方向において上流側の固定部材５８３，５８４及び下流側の固定部材５８２，５８３により固定される。
【００７３】
この様に、第１加熱フレーム５１０及び第２加熱フレーム５２０は、記録媒体１０の搬送方向において上流側及び下流側で、それぞれ記録媒体１０の幅方向両端部で固定され、搬送される記録媒体１０の張力等により変位することがない。したがって、第１加熱フレーム５１０及び第２加熱フレーム５２０が有する複数の加熱ローラは、使用中に変位することなく設定した位置に保たれ、記録媒体１０の全体を均一に加熱できる。
【００７４】
ここで、加熱フレームが開けられた状態で固定部材が回転すると、加熱フレームが閉じられる時に加熱フレームと固定部材とが衝突し、何れか一方又は両方共に破損する場合がある。そこで、加熱ユニット５０には、加熱フレームが開けられた状態で固定部材の回転を防止する回転防止部材が設けられている。
【００７５】
図１０は、固定部材５８２の回転防止機構の構成を例示する図である。
【００７６】
加熱ユニット５０には、固定部材５８２の回動範囲内に、回転防止部材５８７が設けられている。回転防止部材５８７は、本体フレーム５０２に取り付けられる支軸が挿入される支軸孔５８７ａを中心に矢印方向に回転可能に設けられ、第１加熱フレーム５１０に向かう上方に不図示の付勢手段により付勢されている。回転防止部材５８７は、本体部５８７ｂからＸ方向に突出する回転防止部５８７ｃを有する。
【００７７】
固定部材５８２は、第１溝部５８２ｂと挿入孔５８２ａとの間に、第１溝部５８２ｂと同じ側に開口が形成されている第３溝部５８２ｄ、第１溝部５８２ｂと第３溝部５８２ｄとの間に形成される突起部５８２ｅを有する。
【００７８】
図１０は、固定解除された第１加熱フレーム５１０と第２加熱フレーム５２０とが開けられている状態であり、回転防止部材５８７は、この状態において回転防止部５８７ｃが固定部材５８２の突起部５８２ｅに対向する様に設けられている。
【００７９】
この様な構成により、第１加熱フレーム５１０及び第２加熱フレーム５２０が開けられている状態では、突起部５８２ｅが回転防止部５８７ｃに突き当たるため、固定部材５８２は回転することができない。したがって、第１加熱フレーム５１０及び第２加熱フレーム５２０が閉じられる時に固定部材５８２と衝突し、第１加熱フレーム５１０、第２加熱フレーム５２０、それぞれが有する加熱ローラ等が損傷することがない。
【００８０】
また、図１０に示す状態から第１加熱フレーム５１０及び第２加熱フレーム５２０が開じられると、図１１に示す様に、第１加熱フレーム５１０の固定軸５１６が回転防止部材５８７を押し下げる。回転防止部材５８７が固定軸５１６により押し下げられると、回転防止部材５８７の回転防止部５８７ｃは、回転する固定部材５８２の第３溝部５８２ｄに嵌り、固定部材５８２の回転を妨げない。したがって、固定部材５８２は、加熱フレームが閉じられた状態で図中矢印方向に回転し、第１加熱フレーム５１０及び第２加熱フレーム５２０を固定できる。
【００８１】
なお、第１加熱フレーム５１０と第２加熱フレーム５２０とが開けられた状態で、固定部材５８３，５８４，５８５の回転を防止するために、各固定部材の回動範囲内に上記した構成と同様の回転防止部材が設けられてもよい。
【００８２】
また、固定部材５８２は、図１２に示す様に、第１溝部５８２ｂの開口の大きさを調整する調整部材５９１を有する。
【００８３】
調整部材５９１は、固定部材５８２の第１溝部５８２ｂに沿って屈曲する平板状部材であり、２つのネジ５９２，５９３により固定部材５８２に固定されている。また、調整部材５９１は、固定部材５８２に設けられている不図示のピン孔に重なる位置に、開口調整孔５９１ａを有する。固定部材５８２のピン孔及び調整部材５９１の開口調整孔５９１ａには、偏芯ピン５９４が挿入される。偏芯ピン５９４が矢印方向に回転されると、調整部材５９１がＺ方向に上下に移動し、第１溝部５８２ｂのＺ方向における開口の大きさが変化する。
【００８４】
例えばタイミングベルト５７１，５７２，５７３，５７４が経時で伸縮し、第１加熱フレーム５１０及び第２加熱フレーム５２０が変位して固定部材５８２が固定軸５１６等に嵌らなくなる場合がある。この様な場合であっても、偏芯ピン５９４を回転させて調整部材５９１を移動させて第１溝部５８２ｂの開口の大きさを調整することで、固定部材５８２により加熱フレームを固定することが可能になる。
【００８５】
なお、調整部材５９１は、第２溝部５８２ｃの開口の大きさを調整出来る様に、第２溝部５８２ｃに合う様に設けられてもよい。また、調整部材５９１は、第１溝部５８２ｂ及び第２溝部５８２ｃの両方にそれぞれ設けられてもよい。さらに、固定部材５８３，５８４，５８５に、同様な構成の調整部材が設けられてもよい。
【００８６】
以上で説明した様に、本実施形態に係る加熱ユニット５０によれば、ハンドル５０３，５０４を回転させるだけで、開閉可能に設けられた第１加熱フレーム５１０と第２加熱フレーム５２０とを閉じた状態で容易に固定できる。
【００８７】
以上、実施形態に係る記録媒体加熱装置、記録媒体前処理装置及び印刷システムについて説明したが、本発明は上記実施形態に限定されるものではなく、本発明の範囲内で種々の変形及び改良が可能である。
【符号の説明】
【００８８】
１０  記録媒体
５０  加熱ユニット（記録媒体加熱装置）
１００  印刷システム
１２０  前処理液塗布装置（記録媒体前処理装置）
５０１  開閉手段
５１０  第１加熱フレーム（第１加熱手段）
５１６，５２６  固定軸
５２０  第２加熱フレーム（第２加熱手段）
５８０，５８１  位置決めシャフト
５８２，５８３，５８４，５８５  固定部材
５８２ｂ  第１溝部
５８２ｃ  第２溝部
５８２ｄ  第３溝部
５８２ｅ  突起部
５８７  ストッパ（回転防止部材）
５８８  調整部材
【先行技術文献】
【特許文献】
【００８９】
【特許文献１】特開平１０−２０２８３９号公報
【図１】
2015030124.tif 000003
【図２】
2015030124.tif 000004
【図３】
2015030124.tif 000005
【図４】
2015030124.tif 000006
【図５】
2015030124.tif 000007
【図６】
2015030124.tif 000008
【図７】
2015030124.tif 000009
【図８】
2015030124.tif 000010
【図９】
2015030124.tif 000011
【図１０】
2015030124.tif 000012
【図１１】
2015030124.tif 000013
【図１２】
2015030124.tif 000014